(57)【要約】【課題】突発する凶悪強盗事件の犯人検挙の一助として、犯人が退出する際にセンサ−が感知して出口で侵入犯にカラ−スプレ−或いは催涙スプレ−を噴射して、犯人に確実にマ−キングする簡単な装置である、また金融機関を始め商店にも設置し易い装置を提供するものである。【解決手段】ケ−ス内のカラ−スプレ−噴射装置が赤外線検知により自動的に一定時間カラ−スプレ−を犯人に噴射する犯人追跡用マ−キングシステムである。カラ−スプレ−噴射装置にボンベ型カラ−スプレ−と電動モ−タ−と過上昇、過降下防止リミッタスイッチを設け誤差動防止を図る、またスプレ−固定装置、サイズ調整板を設け、市販の殆どのボンベ型のカラ−スプレ−、催涙スプレ−、粘着スプレ−等を使用する事が出来る犯人追跡用マ−キングシステムである。【選択図】          図１
2005316814.tif 000002
【特許請求の範囲】
【請求項１】
カラ−スプレ−噴射装置をケ−ス内に納め赤外線検知により一定時間、自動的にカラ−スプレ−を噴射させる、犯人追跡用マ−キングシステム。
【請求項２】
カラ−スプレ−噴射装置内にボンベ型カラ−スプレ−と、電動モ−タ−と、電動モ−タ−と一体化した雄螺子状回転シャフト、雌螺子状昇降シャフトから構成され、雄螺子状回転シャフトの回転運動により雌螺子状昇降シャフトを昇降させカラ−スプレ−を噴射させる事を特徴とする請求項第１項に記載の犯人追跡用マ−キングシステム。
【請求項３】
カラ−スプレ−噴射装置内、雌螺子状昇降シャフト上部と下部接触箇所に過上昇防止リミッタ−スイッチ、過降下防止リミッタ−スイッチを各々設け、誤動作を防止する事を特徴とする請求項第１項第２項に記載の犯人追跡用マ−キングシステム。
【請求項４】
カラ−スプレ−噴射装置内、ボンベ型カラ−スプレ−固定装置、ボンベサイズ調整板を設け市販のカラ−スプレ−、催涙スプレ−、粘着スプレ−等殆どのボンベ型スプレ−を使用する事が出来る事を特徴とする請求項第１項第２項第３項に記載の犯人追跡用マ−キングシステム。
【発明の詳細な説明】
【技術分野】
【０００１】
本発明は犯人追跡用マ−キングシステムである、簡単な設備で、市販の多くのボンベ型スプレ−が使えるシステムである。
【背景技術】
【０００２】
従来、防犯用スプレ−装置については、特開２００３−２１７０４４、特開２００４−４６６９０を始め多数の提案がなされているが、特定の物品を使用したり、大きな設備が必要であつたりするので一般ユ−ザ−が容易に用いられないものである。
【０００３】
また、特開２００１−１０１５３６、のものは構造が複雑で設備が高価で交換が困難であり、噴射装置が壁裏なので変更が困難であり、電磁ソレイドの動作が不定、焦電赤外線セサ−であり誤差動が多い、爾後の処置が面倒等、多くの課題のある構造である。
【発明の開示】
【発明が解決しようとする課題】
【０００４】
突発する凶悪強盗事件、犯人に犯行を阻止する事は困難な現状であり、何とかして犯人を検挙するため上述のように多くの提案があるが仲々適切なものがない現状である。そこで、瞬時に対応できる、簡単な確実な方法、余り費用の掛からない、実効のある最も簡単な方法のものを、いろいろ実験の結果次の様に提案するものである。
【課題を解決するための手段】
【０００５】
そこで、本発明は、ケ−ス内のカラ−スプレ−噴射装置が赤外線検知によつて自動的に一定時間、カラ−スプレ−を犯人に噴射する犯人追跡用マ−キングシステムである。
【０００６】
カラ−スプレ−噴射装置に、ボンベ型カラ−スプレ−、電動モ−タ−、電動モ−タ−と一体化した雄螺子状回転シャフト、雌螺子状昇降シヤフトガ設けられ、雄螺子状回転シヤフトの回転運動により雌螺子昇降シヤフトを昇降させてカラ−スプレ−を噴射させる、犯人追跡用マ−キングシステムである。
【０００７】
カラ−スプレ−噴射装置に、雌螺子状昇降シヤフト上部と、下部接触箇所に過上昇防止リミッタ−スイッチ、過降下防止リミッタ−スイッチを、各々設け誤動作防止をする犯人追跡用マ−キングシステムである。
【０００８】
カラ−スプレ−噴射装置に、ボンベ型カラ−スプレ−固定装置、ボンベサイズ調整板を設ける、噴射装置は高さ、位置、方向、が自由に調整でき、固定できるものであり、市販の殆どのボンベ型のカラ−スプレ−、催涙スプレ−、粘着スプレ−等を用いる事が出来る有効な犯人追跡用マ−キングシステムである。
【発明の効果】
【０００９】
治安の悪化が著しく、凶悪犯等が店舗又は家屋に侵入し犯行を行う事件が頻発している、そこで犯人が犯行後退出する際に、センサ−が感知し出口で侵入犯にカラ−スプレ−或いは催涙スプレ−を噴射しマ−キングする確実で簡単な装置てある、また電源スイッチ（複数個取付可）を入れるだけの簡単な操作でよく、又取付けも容易である。
【００１０】
本願発明は大規模設備の必要なく短時間で簡単に設置できる。噴射時間を設定する事により電力及びカラ−スプレ−の消費が節約できる。リミッタ−スイッチを設け過降下過上昇を防止する、噴射シヨット終了時又は電源スイッチ切つた時に全てが自動的にスタ−ト位置に戻る。ボンベ固定装置ボンベサイズ調整板を設け市販の殆どのボンベが使用できる。
【発明を実施するための最良の形態】
【００１１】
強盗犯が侵入し逃走する際、電源スイッチ（１４）を入れると制御装置（Ａ）の電源表示灯（１５）が点灯して準備完了を示す、出入口（Ｇ）に装備のセンサ−発信素子（１２）とセンサ−受信素子（１３）間を犯人が通過時、センサ−発信素子（１２）からセンサ−受信素子（１３）に送信中の赤外線が遮断されると制御装置（Ａ）が検知しスプレ−噴射装置（Ｆ）内の電動モ−タ−（１）が作動する。
【００１２】
電動モ−タ−（１）が作動すると雄螺子状のモ−タ−回転シヤフト（２）が回転し雌螺子状の昇降シヤフト（３）を押し下げボンベ型カラ−スプレ−（６）のプッシユボタン（７）に圧力を掛けボンベ型カラ−スプレ−（６）内の圧縮されたようえきをスプレ−噴射口（８）より噴射させる。スプレ−の噴射時間は制御装置（Ａ）の噴射時間設定ダイヤル（１６）により任意に設定できる。
【００１３】
ボンベ型スプレ−（６）にボンベサイズ調整板（１１）とボンベ固定装置（９）と固定装置アジャスタ−（１０）を設け、市販されている殆どの製品を始め多サイズのカラ−スプレ−催涙スプレ−を使用することができる。
【実施例１】
【００１４】
図１は本発明を設置した配置状態を表す説明図である。
【実施例２】
【００１５】
図２は本発明のスプレ−噴射装置の外観をあらわす正面図である。
【実施例３】
【００１６】
図３は本発明のスプレ−噴射装置の構造をあらわす正面図である。
【実施例４】
【００１７】
図４は本発明の人体感知センサ−送信装置の外観をあらわ正面図である。
【実施例５】
【００１８】
図５は本発明の人体感知センサ−受信装置の外観をあらわ正面図である。
【実施例６】
【００１９】
図６は本発明の電源スイッチ装置の外観をあらわ正面図である。
【実施例７】
【００２０】
図７は本発明の制御装置の外観をあらわ正面図である。
【産業上の利用可能性】
【００２１】
混乱、緊迫したなか、犯人逮捕に役立つ、確実で簡単な方法、金融機関を始め商店にも設置し易く費用も余り掛からない装置としてテストして本発明を提案したもので有効なものであります。この種の凶悪犯罪の防止に役立つ事を願つています。
【図面の簡単な説明】
【００２２】
【図１】本発明の実施設置状態をあらわす説明図である。（実施例１）
【図２】スプレ−噴射装置外観正面図である。（実施例２）
【図３】スプレ−噴射装置構造正面図である。（実施例３
【図４】人体感知センサ−送信装置外観正面図である。（実施例４）
【図５】人体感知センサ−受信装置外観正面図である。（実施例５）
【図６】電源スイッチ装置外観正面図である。（実施例６）
【図７】制御装置外観正面図である。（実施例７）
【符号の説明】
【００２３】
Ａ  制御装置
Ｂ  電源スイッチ装置
Ｃ  配線
Ｄ  センサ−送信装置
Ｅ  センサ−受信装置
Ｆ  スプレ−噴射装置
Ｇ  既設出入口
１  電動モ−タ−
２  モ−タ−回転シヤフト
３  昇降シヤフト
４  リミッタ−（過降下防止）スイッチ
５  リミッタ−（過上昇防止）スイッチ
６  ボンベ型カラ−スプレ−
７  プッシュボタン
８  スプレ−噴射口
９  ボンベ固定装置
１０  固定装置アジャスタ−
１１  ボンベサイズ調整板
１２  センサ−発信素子
１３  センサ−受信素子
１４  電源スイッチ
１５  電源表示灯
１６  噴射時間設定ダイヤル
【図１】
2005316814.tif 000003
【図２】
2005316814.tif 000004
【図３】
2005316814.tif 000005
【図４】
2005316814.tif 000006
【図５】
2005316814.tif 000007
【図６】
2005316814.tif 000008
【図７】
2005316814.tif 000009
【手続補正書】
【提出日】平成16年8月11日(2004.8.11)
【手続補正１】
【補正対象書類名】明細書
【補正対象項目名】０００３
【補正方法】変更
【補正の内容】
【０００３】
また、特開２００１−１０１５３６、のものは構造が複雑で設備が高価で交換が困難である、噴射装置が壁裏なので変更が困難である、電磁ソレイドの動作が不定である、焦電赤外線センサ−なので誤差動が多い、爾後の処置が面倒である等、多くの課題のある構造のものである。
【手続補正２】
【補正対象書類名】明細書
【補正対象項目名】００１２
【補正方法】変更
【補正の内容】
【００１２】
電動モ−タ−（１）が作動すると雄螺子状のモ−タ−回転シヤフト（２）が回転し雌螺子状の昇降シヤフト（３）を押し下げボンベ型カラ−スプレ−（６）のプッシユボタン（７）に圧力を掛けボンベ型カラ−スプレ−（６）内の圧縮された溶液をスプレ−噴射口（８）により噴射させる、スプレ−の噴射時間は制御装置（Ａ）の噴射時間設定ダイヤル（１６）により任意に設定できる。